(57)【要約】【課題】発光面積によって輝度を制限して輝度の変化量を発光率によって異にする発光表示装置及びその駆動方法を提供する。【解決手段】複数の走査信号、複数の発光制御信号、及び複数のデータ信号の伝達を受けて映像を表現する画素を含む画素部と、前記複数の走査信号及び前記複数の発光制御信号を前記画素部に伝達する走査駆動部と、ビデオデータの伝達を受けて前記複数のデータ信号を生成して前記画素部に伝達するデータ駆動部と、前記画素部の輝度を制限する輝度制御部と、前記輝度制御部は、一フレーム区間でビデオデータを合算したフレームデータを生成して前記フレームデータの大きさによって画素部の輝度の制限範囲を決定し、前記発光制御信号が一フレーム区間に複数の発光区間を持つようにする。【選択図】図２
2006285236.tif 000002
【特許請求の範囲】
【請求項１】
複数の走査信号、複数の発光制御信号、及び複数のデータ信号の伝達を受けて映像を表現する画素を含む画素部と、
前記複数の走査信号及び前記複数の発光制御信号を前記画素部に伝達する走査駆動部と、
ビデオデータの伝達を受けて前記複数のデータ信号を生成して前記画素部に伝達するデータ駆動部と、
前記画素部の輝度を制限する輝度制御部と 、
前記輝度制御部は、一フレーム区間で前記ビデオデータを合算したフレームデータを生成して前記フレームデータの大きさによって画素部の輝度の制限範囲を決定し、前記発光制御信号が一フレーム区間に複数の発光区間を持つようにすることを特徴とする発光表示装置。
【請求項２】
複数の走査信号と複数の発光制御信号と複数のデータ信号の伝達を受けて映像を表現する画素とを含む画素部と、
前記複数の走査信号及び前記複数の発光制御信号を前記画素部に伝達する走査駆動部と、
ビデオデータの伝達を受けて前記複数のデータ信号を生成して前記画素部に伝達するデータ駆動部と、
前記画素部の輝度を制限する輝度制御部と、
前記輝度制御部の出力によって前記発光制御信号を制御する発光制御部と、を含み、
前記輝度制御部は、一フレーム区間で前記ビデオデータを合算したフレームデータを生成して前記フレームデータの大きさによって画素部の輝度の制限範囲を決定し、
前記発光制御部は、前記制限範囲によって一フレームの区間に前記発光制御信号の発光区間の数を決定することを特徴とする発光表示装置。
【請求項３】
前記輝度制御部は、
前記フレーム区間にあたる前記ビデオデータを合算して前記フレームデータを生成するデータ合算部と、
前記フレームデータによって前記画素の発光時間に対する発光情報を格納するルックアップテーブルと、
前記発光情報によって前記発光制御信号を制御する輝度制御信号を伝達する輝度制御駆動部と、
を含むことを特徴とする請求項１または２に記載の発光表示装置。
【請求項４】
前記画素部の輝度は、
前記画素が発光する時間によって調節されることを特徴とする請求項１に記載の発光表示装置。
【請求項５】
前記走査駆動部は、前記走査信号を伝達する走査駆動回路及び前記発光制御信号を伝達する発光制御駆動回路に区分され、
前記発光制御駆動回路は、前記輝度制御信号の入力を受けて前記発光制御信号を生成することを特徴とする請求項１または２に記載の発光表示装置。
【請求項６】
一フレーム区間に入力されるビデオデータの合算であるフレームデータを把握する段階と、
前記フレームデータの大きさが所定の大きさ以上であれば画素部の輝度を制限し、前記フレームデータの大きさが所定の大きさ未満であれば前記画素部の輝度を制限しない段階と、
前記画素部の輝度制限範囲を把握して前記輝度制限範囲が所定の大きさを超えれば、前記画素部は一フレーム区間で少なくとも二度発光するようにする段階と、
を含むことを特徴とする発光表示装置駆動方法。
【請求項７】
前記フレームデータの大きさによって前記画素部が発光する発光時間を決定することを特徴とする請求項６に記載の発光表示装置駆動方法。
【請求項８】
前記発光時間が指定されているルックアップテーブルを具備し、
前記指定された発光時間によって前記発光制御信号の発光区間が決まることを特徴とする請求項７に記載の発光表示装置駆動方法。
【発明の詳細な説明】
【技術分野】
【０００１】
本発明は、発光表示装置及びその駆動方法に関し、より詳細には、発光面積によって輝度を制限し、発光面積によって輝度の変化量を異ならせる発光表示装置及びその駆動方法に関する。
【背景技術】
【０００２】
近年、陰極線管に比べて重さと体積が小さい各種平板表示装置が開発されており、特に、発光効率、輝度、及び視野角がすぐれた応答速度の速い発光表示装置が注目されている。
【０００３】
発光表示装置としては、有機発光素子を利用した有機発光表示装置と無機発光素子を利用した無機発光表示装置がある。有機発光素子は、有機発光ダイオード（ｏｒｇａｎｉｃ  ｌｉｇｈｔ  ｅｍｉｔｔｉｎｇ  ｄｉｏｄｅ：ＯＬＥＤ）とも呼ばれ、アノード電極、カソード電極、及びこれらの間に位置して電子と正孔の結合によって発光する有機発光層を含む。
【０００４】
無機発光素子は、発光ダイオード（ｌｉｇｈｔ  ｅｍｉｔｔｉｎｇ  ｄｉｏｄｅ、ＬＥＤ）とも呼ばれ、有機発光ダイオードとは異なり、無機物である発光層、例えば、ＰＮ接合された半導体からなる発光層を含む。
【０００５】
図１は、従来の技術による発光表示装置を示す構造図である。図１を参照して説明すれば、従来の技術による発光表示装置は、画素部１０、データ駆動部２０、走査駆動部３０、制御部４０及び電源供給部５０を含む。
【０００６】
画素部１０は、複数の画素１１が配列されて各画素１１に発光素子（図示せず）が連結される。そして、行方向に形成されて走査信号を伝達するｎ個の走査線Ｓ１、Ｓ２、…Ｓｎ−１、Ｓｎ、列方向に形成されてデータ信号を伝達するｍ個のデータ線Ｄ１、Ｄ２、…Ｄｍ−１、Ｄｍ、第１電源を伝達するｍ個の第１電源供給線（図示せず）、及び第１電源ＥＬＶｄｄより低い電位を持つ第２電源ＥＬＶｓｓを伝達するｍ個の第２電源供給線（図示せず）が配列される。
【０００７】
画素部１０は、走査信号、データ信号、第１電源ＥＬＶｄｄ、及び第２電源ＥＬＶｓｓによって発光素子が発光して映像を表示する。
【０００８】
データ駆動部２０は、画素部１０にデータ信号を印加する手段で、データ駆動部２０が画素部１０のデータ線Ｄ１、Ｄ２、…Ｄｍ−１、Ｄｍに連結されてデータ信号を画素部１０に印加する。
【０００９】
走査駆動部３０は、走査信号を順次出力する手段で、走査駆動部３０は走査線Ｓ１、Ｓ２、…Ｓｎ−１、Ｓｎに連結されて走査信号を画素部１０の特定の行に伝達し、発光制御信号線Ｅ１、Ｅ２、…Ｅｎ−１、Ｅｎに連結されて発光制御信号を画素部１０の特定の行に伝達する。
【００１０】
走査信号が伝達された画素部１０の特定の行には、データ駆動部２０から入力されるデータ信号が印加されてデータ信号による電流が生成される。そして、発光制御信号によって電流が発光素子に流れ、発光素子の発光によって映像が表示される。このとき、すべての行に走査信号及び発光制御信号が順次選択されれば一つのフレームが完成される。
【００１１】
電源供給部４０は、画素部１０に第１電源ＥＬＶｄｄ及び第１電源ＥＬＶｄｄより低い電位を持つ第２電源ＥＬＶｓｓを伝達して、第１電源ＥＬＶｄｄ及び第２電源ＥＬＶｓｓの電圧差によって各画素１０にデータ信号に対応される電流が流れるようにする。
【００１２】
前記のように構成される発光表示装置は、高輝度を表現する場合には画素部１０に多くの電流が流れるようになり、低輝度を表現する場合には、画素部１０に少ない電流が流れるようになる。
【００１３】
そして、発光制御信号の幅を制御することによって発光する時間を変化させ輝度を調節することができる。しかしながら、発光制御信号の幅を利用して輝度を調節する場合には、表現しようとする輝度が低い場合、発光制御信号の幅が短くなるが発光する区間は長くなる。このため、発光しない区間が目に感知され、ちらつきの現象であるフリッカー現象が発生するという問題点がある。
【００１４】
このような発光表示装置及びその駆動方法に関する従来技術を記載した文献としては、下記の特許文献１、２、及び３等がある。
【特許文献１】大韓民国特許出願公開２００４−００７２２３３号公報
【特許文献２】特開平１１−２４６３１号公報
【特許文献３】特開２００３−２８０５９８号公報
【発明の開示】
【発明が解決しようとする課題】
【００１５】
したがって、本発明は前記従来技術の問題点を解決するために創出されたものであり、その目的は、画素部全体の発光面積で高輝度を表現する発光面積が大きい場合には、流れる電流量を制限することによって全体の輝度が低くなるようにし、消費電力を減らしつつ画質の品位を高めることができる発光表示装置及びその駆動方法を提供することである。
【課題を解決するための手段】
【００１６】
前記目的を果たすために本発明の第１側面は、複数の走査信号、複数の発光制御信号、及び複数のデータ信号の伝達を受けて映像を表現する画素を含む画素部と、前記複数の走査信号及び前記複数の発光制御信号を前記画素部に伝達する走査駆動部と、ビデオデータの伝達を受けて前記複数のデータ信号を生成して前記画素部に伝達するデータ駆動部と、前記画素部の輝度を制限する輝度制御部及び前記輝度制御部の出力によって前記発光制御信号を制御する発光制御部を含み、前記輝度制御部は一フレーム区間からビデオデータを合算したフレームデータを生成して前記フレームデータの大きさによって画素部の輝度の制限範囲を決定し、前記発光制御信号が一フレーム区間に複数の発光区間を持つようにする発光表示装置を提供する。
【００１７】
本発明の第２側面は、複数の走査信号、複数の発光制御信号、及び複数のデータ信号の伝達を受けて映像を表現する画素を含む画素部と、前記画素部の輝度を制限する輝度制御部と、前記画素部に駆動電圧を伝達する電源供給部及び前記輝度制御部によって制限される輝度によって前記発光制御信号を制御する発光制御部と、を含み、前記輝度制御部は一フレーム区間からビデオデータを合算したフレームデータを生成して前記フレームデータが所定の値以上であれば前記画素部の輝度を制限し、前記フレームデータが所定の値未満であれば前記画素部の輝度を制限せず、前記発光制御部は前記輝度制御部の出力によって一フレーム区間に前記発光制御信号の発光区間の数を決定する発光表示装置を提供する。      
【００１８】
本発明の第３側面は、一フレーム区間に入力されるビデオデータの合算であるフレームデータを把握する段階と、前記フレームデータの大きさが所定の大きさ以上であれば画素部の輝度を制限し、前記フレームデータの大きさが所定の大きさ未満であれば前記画素部の輝度を制限しない段階と、前記画素部の輝度制限範囲を把握して前記輝度制限範囲が所定の大きさを超えれば前記画素部は一フレーム区間で少なくとも二度発光するようにする段階とを含む発光表示装置駆動方法を提供する。
【発明の効果】
【００１９】
上述したように本発明による発光表示装置及びその駆動方法によれば、発光表示装置の発光率に応じて電流の流れを制限するようにしてので、消費電力を減らしつつ画質を高めることができ、高出力の電源供給部を必要としなくなるという効果が得られる。
【００２０】
また、本発明による発光表示装置及びその駆動方法によれば、フリッカー現象の発生を防止して画質の品位を高めることができる。
【発明を実施するための最良の形態】
【００２１】
以下、本発明の実施形態を添付した図面を参照して説明する。
【００２２】
図２は、本発明の一実施形態による発光表示装置の概略構成を示す構造図である。図２を参照して説明すれば、発光表示装置は、画素部１００、輝度制御部２００、データ駆動部３００、走査駆動部４００、電源供給部５００、及び発光制御部６００を含む。
【００２３】
画素部１００は、複数の画素１１０が配列されて各画素１１０に発光素子（図示せず）が連結される。そして、画素部１００には、行方向に形成されて走査信号を伝達するｎ個の走査線Ｓ１、Ｓ２、…Ｓｎ−１、Ｓｎ及び発光制御信号を伝達するｎ個の発光制御信号線Ｅ１、Ｅ２、…Ｅｎ−１、Ｅｎと、列方向に形成されてデータ信号を伝達するｍ個のデータ線Ｄ１、Ｄ２、…Ｄｍ−１、Ｄｍと、画素に第１電源ＥＬＶｄｄを伝達する第１電源線Ｌ１と、画素に第２電源ＥＬＶｓｓを伝達する第２電源線Ｌ２とが配列される。なお、第２電源線Ｌ２は等価的に表現されたものであり、画素部１００の全領域に形成されて各画素１１０に電気的に接続されることもできる。
【００２４】
輝度制御部２００は、輝度制御信号を出力して画像を表現する画素部１００の輝度が一定の水準を超えないように輝度を制限する。画素部１００の輝度は、高い輝度に発光する面積が大きい場合、高い輝度に発光する面積が小さい場合よりもさらに高い輝度で表現される。
【００２５】
例えば、画素部１００のすべての画素が最高階調で発光する（プールホワイト：Ｐｕｌｌ  Ｗｈｉｔｅ）場合、画素部１００がプールホワイトで発光しない場合よりも、より高い輝度を持つようになる。したがって、前記のように高い輝度で発光する面積が大きい場合には、一定の輝度を低くして表現する。この時、高い輝度で発光する面積によって輝度を制限する範囲を異なるようにし、高い輝度で発光する面積の変化に従って輝度が変化するようにする。
【００２６】
輝度制御部２００は、一フレームに入力されるビデオデータの合算であるフレームデータの大きさを把握してフレームデータが大きければ、明るく発光する画素部１００に流れる電流量が多いと判断し、一フレームに入力されるビデオデータの合算であるフレームデータの大きさが小さければ、画素部１００に流れる電流量が少ないと判断する。
【００２７】
したがって、輝度制御部２００は、フレームデータの大きさが所定の値以上であれば、輝度を制限する輝度制御信号を出力し、画素部１００で表現する映像の明るさを全体的に減少させて画像表示をするようにする。
【００２８】
輝度制御部２００によって画素部１００の輝度が制限される場合には、画素部１００に流れる電流量を制限することによって高出力の電源供給部５００が必要でなくなる。画素部１００の輝度が制限されない場合には、発光する画素の発光時間が長く維持されて輝度が高くなる。したがって、発光する画素と発光しない画素の明暗比が大きくなり画素部１００の明暗比が向上される。
【００２９】
この場合、画素部１００に流れる電流量を減少させる方法を用いて画素が発光する時間を減らすようにすれば、電流が供給される時間が減り画素部１００に流れる電流量を減少させることができる。
【００３０】
しかし、発光する時間が減少しても発光しない時間が長ければ、視覚的に発光しない区間が現われるようになって画面がちらつくフリッカー現象が発生する。フリッカー現象を防止するためには、一フレーム区間で発光する区間を分割して発光しない時間を短くすることで、発光しない区間を視覚的に感知することができないようにし、フリッカー現象を防止することができる。
【００３１】
輝度制御部２００は、画素部１００が発光する時間を調節するために発光制御信号線Ｅ１、Ｅ２…Ｅｎ−１、Ｅｎを通じて伝達される発光制御信号のパルス幅を調節して一フレーム内で発光する発光時間を調節する。具体的には、発光制御信号のパルス幅が長い場合は、画素部１００に流入される電流の量を多くして、画素部１００の全体輝度が低下されないようにし、発光制御信号のパルス幅が短い場合には、画素部１００に流入される電流の量を少なくして、画素部１００の全体輝度が低下されるようにする。  そして、発光制御信号が一フレーム区間で複数の発光区間を持つようになれば、画素が一フレーム区間で複数の発光区間を持つようになって発光する区間が分割される。この結果、フリッカー現象が防止される。
【００３２】
データ駆動部３００は、画素部１００にデータ信号を印加する手段であり、赤、青、及び緑の成分を持つビデオデータの入力を受けてデータ信号を生成する。そして、データ駆動部３００は、画素部１００のデータ線Ｄ１、Ｄ２、…Ｄｍ−１、Ｄｍに連結されて生成されたデータ信号を画素部１００に印加する。
【００３３】
走査駆動部４００は、画素部１００に走査信号と発光制御信号を印加する手段であり、走査駆動部４００は、走査線Ｓ１、Ｓ２、…Ｓｎ−１、Ｓｎと発光信号線Ｅ１、Ｅ２、…Ｅｎ−１、Ｅｎとに連結されて、走査信号と発光制御信号とを画素部１００の特定の行に伝達する。走査駆動部４００は、輝度制御信号の入力を受けて発光制御信号を出力する。
【００３４】
走査信号が伝達された画素１１０には、データ駆動部３００から出力されたデータ信号が伝達される。発光制御信号が伝達された画素１１０は、発光制御信号によって画素１１０が発光するようになる。
【００３５】
走査駆動部４００は、走査信号を生成する走査駆動回路と発光制御信号を生成する発光駆動回路とに区分され、走査駆動回路と発光駆動回路とは一つの構成部分に含まれることができ、また、別途の構成部分に分離することもできる。
【００３６】
走査信号が伝達された画素部１００の特定の行には、データ駆動部３００から入力されるデータ信号が印加され、発光制御信号によってデータ信号に対応される電流が発光素子に伝達されて発光素子の発光によって映像が表示される。この時、すべての行が順次選択されれば一つのフレームが完成される。
【００３７】
電源供給部５００は、画素部４００に第１電源ＥＬＶｄｄと第２電源ＥＬＶｓｓとを伝達して、第１電源ＥＬＶｄｄと第２電源ＥＬＶｓｓの差によって各画素にデータ信号に対応する電流が流れるようにする。
【００３８】
発光制御部６００は、画素部１００が発光する時間を調節するために発光制御信号線Ｅ１、Ｅ２、…Ｅｎ−１、Ｅｎを通じて伝達される発光制御信号のパルス幅を調節して一フレーム内で発光する発光時間を調節し、発光制御信号のパルス幅が長ければ画素部１００に流入される電流の量を多くして画素部１００の全体輝度が低下されないようにし、パルス幅が短ければ画素部１００に流入される電流の量を少なくして画素部１００の全体輝度が低下されるようにする。
【００３９】
また、発光制御部６００は、輝度制御信号によって発光制御信号のパルス幅が所定の幅以下であれば、発光制御信号が一フレーム区間で少なくとも二つの発光区間を持つようにして非発光区間の幅を短くすることによって画素が発光しないことを視覚的に感知できないようにし、フリッカー現象を防止する。
【００４０】
図３は、本発明の一実施形態による発光表示装置で採用された輝度制御部を示す構造図である。図３を参照して説明すれば、輝度制御部２００はデータ合算部２１０、ルックアップテーブル２２０及び輝度制御駆動部２３０を含む。
【００４１】
データ合算部２１０は、一つのフレームに入力される赤、青、及び緑に対する情報を有するビデオデータを合算したフレームデータに対する情報を抽出する。
【００４２】
フレームデータは、一フレームに対するすべてのビデオデータが合算され、フレームデータのデータ値が大きければ高諧調を表現するデータが多く含まれており、フレームデータのデータ値が小さければ高諧調を表現するデータが少なく含まれていることが分かる。
【００４３】
ルックアップテーブル２２０は、フレームデータのデータ値によって発光制御信号の発光区間の幅が指定されている。フレームデータの上位ビットを利用して発光区間の幅が指定される。フレームデータの上位５ビットを利用して一フレーム内で画素部１００の明るさの程度を把握できるようにする。
【００４４】
そして、フレームデータの大きさが大きくなるにつれて画素部１００の輝度は増加するが、所定の明るさ以上の明るさになった場合には、画素部１００の輝度を制限する。また、画素部１００の輝度が増加することによって漸次的に制限する割合をさらに大きくして画素部１００の輝度が過度に増加することを防止する。
【００４５】
しかしながら、画素部１００の輝度の増加によって一律的に輝度を制限する割合を持つようにしてしまうと、画素部１００が非常に高い輝度を表現するようになる場合に、輝度の制限の度合いが大きくなってしまい十分に明るい画面を提供することができず、単に、全体的な明るさを落とす結果となる。
【００４６】
したがって、輝度を制限する範囲を設定して、画素部１００全体がホワイトを表現する場合には、制限する範囲を指定することによって画素部１００の輝度を制限する範囲以上に輝度が制限されないようにする。
【００４７】
この場合、発光表示装置で表現する映像が停止映像の場合と動画の場合とに区分して、映像の種類によって輝度の制限範囲が異なるようにする。そして、フレームデータの大きさが所定の大きさ以上にならない場合には、輝度を制限しないようにし、また、輝度が高くない場合には輝度を制限しないようにする。
【００４８】
表１は、画素部１００の輝度によって発光比を最大値の５０％まで制限したルックアップテーブル２２０を現わしたものである。
【００４９】
【表１−１】
2006285236.tif 000003
【００５０】
【表１−２】
2006285236.tif 000004
【００５１】
上記の表１は、映像が停止映像の場合に適用することが望ましく、画素部１００の発光率（発光面積の割合に等価）が３６％以下の場合には輝度を制限せず、発光率が３６％を超過する場合には輝度を制限し、最大輝度で発光する面積が増加すれば輝度を制限する割合も増加するようにする。ここで発光率は、下記の数式によって決定される変数である。
【００５２】
【数１】
2006285236.tif 000005
【００５３】
そして、過度に輝度を制限することを防止するために最大に制限する割合を５０％にして画素部１００大部分の画素が最大輝度で発光しても輝度を制限する割合が５０％以下にならないようにする。
【００５４】
表２は、画素部１００の輝度によって発光比を最大値の３３％まで制限したルックアップテーブル２２０を現わしたものである。
【００５５】
【表２−１】
2006285236.tif 000006
【００５６】
【表２−２】
2006285236.tif 000007
【００５７】
表２は、映像が動画の場合に適用することが望ましく、発光率が３４％以下の場合には輝度を制限せず、発光率が３４％を超過する場合には輝度を制限し、最大輝度で発光する面積が増加すれば輝度を制限する割合も増加するようにする。
【００５８】
そして、過度に輝度を制限することを防止するために最大に制限する割合を３３％にして画素部１００大部分の画素が最大輝度で発光しても輝度を制限する割合が３３％以下にならないようにする。
【００５９】
輝度制御駆動部２３０は、上位５ビット値の伝達を受けて輝度制御信号を出力する。輝度制御信号は、走査駆動部４００に入力されて走査駆動部４００を制御して走査駆動部４００で輝度制御信号によって発光制御信号を出力する。
【００６０】
特に、走査駆動部４００が走査駆動回路と発光制御回路に区分された場合、発光制御回路は、輝度制御信号の入力によって発光制御信号を出力する。
【００６１】
発光制御信号は、最大発光区間が３２５に設定されている。したがって、８ビットは２５６種を表現することができ、９ビットは５１２種を表現することができるので、表１に現われている発光制御信号の発光区間を生成するためには、輝度制御信号は９ビットの信号を出力するようにすることが望ましい。また、輝度制御信号はスタートパルスを利用することができ、スタートパルスの幅の変化によって発光制御信号の幅が決定されることができる。
【００６２】
図４ａから図４ｃは、図２の発光表示装置で採用された発光駆動回路で生成される発光制御信号を示す波形図である。
【００６３】
図４ａは、一フレームの区間で一度発光することを現わし、図４ｂは一フレームの区間で二度発光することを表し、図４ｃは一フレームの区間で四度発光することを表す。
【００６４】
図４ａから図４ｃを参照して説明すれば、一フレーム内で画素が発光する区間と発光しない区間とに区分される。図４ａのように一フレーム区間で一度発光する場合、発光しない区間が一定時間以上になれば、人の目が発光しない区間を認識することができるようになってちらつき現象、すなわち、フリッカーが発生する。
【００６５】
したがって、一フレーム区間で発光する区間を分割して数回発光するようになれば、発光しない区間の合算は同一であるが、発光する区間にある発光しない区間が短くなり、人の目が発光しない区間を認識することができなくなる。これにより、フリッカー現象が発生しなくなる。
【００６６】
この時、図４ｂに図に示されているように一フレームの区間で二度発光させることができ、図４ｃに図示されているように一フレームの区間で四度発光させることも可能である。また、一フレームの区間でさらに多くの回数に発光させることも可能である。
【００６７】
図５は、図４ａから４ｃの発光制御信号を生成する発光駆動回路の一実施形態を示す構造図である。図５を参照して説明すれば、発光駆動回路はシフトレジスターによってスタートパルスＳＰが入力され、スタートパルスＳＰをシフトした第１シフト信号１ＳＲを出力し、第１シフト信号１ＳＲを利用して第２シフト信号２ＳＲを出力し、第２シフト信号２ＳＲを利用して第３シフト信号３ＳＲを出力する。
【００６８】
このような動作を繰り返してｎ個のシフト信号を出力し、ｎ個のシフト信号は順次発生するようになる。そして、第１シフト信号１ＳＲと第２シフト信号２ＳＲを演算して一番目の発光制御信号ｅ１を生成し、第２シフト信号２ＳＲと第３シフト信号３ＳＲを演算して二番目の発光制御信号ｅ２を出力し、また、第３シフト信号３ＳＲと第４シフト信号４ＳＲを演算して三番目の発光制御信号ｅ３を出力する。
【００６９】
このような動作を繰り返してｎ個の発光制御信号を発生し、各シフト信号が順次発生するため、ｎ個の発光制御信号は順次発生するようになる。
【００７０】
この時、一フレーム区間でスタートパルスＳＰ一つが入力されれば、一フレーム区間で一度発光し、スタートパルスＳＰ二つが入力されれば二度発光し、スタートパルスがＳＰ四つ入力されれば四度発光するようになる。
【００７１】
図６ａから図６ｄは、本発明による発光表示装置に入力される発光制御信号の発光比を最大３３％まで制限した場合を示す図である。
【００７２】
図６ａは数学的に計算された発光率と輝度比との関係を示し、図６ｂは実際に測定された発光率と輝度比の測定値を示す。そして、図６ｃは数学的に計算された発光率と電流比との関係を示し、図６ｄは実際に測定された発光率と電流比との関係を示す。
【００７３】
図６ａ及び図６ｂを参照して説明すれば、所定の輝度以上の輝度で発光する画素が占める面積が約３０％以内の場合には、輝度が一定の水準を維持して画面が暗くならず、所定の明るさ以上の輝度で発光する画素が占める面積が約３０％以上の場合には、漸次的に減少して過度に明るく表現されないようにして眩しさを防止することができる。
【００７４】
図６ｃ及び図６ｄを参照して説明すれば、明るさの制限をした場合、明るさの制限をしない場合に流れる電流量の約３０から３５％位の電流量が流れるようになり、電源供給部５００にかかる負荷を小さくする。この結果、電源供給部５００は、高出力の電源を必要としなくなる。
【００７５】
図７ａから図７ｄは、本発明による発光表示装置に入力される発光制御信号の発光比を最大５０％まで制限した場合を示す面である。
【００７６】
図７ａは、数学的に計算された発光率と輝度比との関係を示し、図７ｂは実際に測定された発光率と輝度比の測定値を示す。そして、図７ｃは数学的に計算された発光率と電流比との関係を示し、図７ｄは実際に測定された発光率と電流比との関係を示す。
【００７７】
図７ａ及び図７ｂを参照して説明すれば、所定の輝度以上の輝度で発光する画素が占める面積が約４０％未満の場合には輝度が一定の水準を維持して画面が暗くならず、所定の明るさ以上の輝度で発光する画素が占める面積が約４０％以上の場合には漸次的に減少して過度に明るく表現されないようにして眩しさを防止することができる。
【００７８】
図７ｃ及び図７ｄを参照して説明すれば、明るさの制限をした場合に、明るさの制限をしない場合に流れる電流量の約５０％位まで電流量を制限する。この結果、電源供給部５００にかかる負荷を小さくして電源供給部５００は、高出力の電源を必要としなくなる。
【００７９】
上述したように、本発明の詳細な説明と図は、単なる本発明の例示的なものであり、これは単に本発明を説明するための目的で使用されたものであって、意味限定や特許請求の範囲に記載された本発明の範囲を制限するために使用されたものではない。よって、前記説明した内容を介して当業者であれば、本発明の技術思想を逸脱しない範囲で多様な変更及び修正が可能であることが分かる。
【産業上の利用可能性】
【００８０】
発光表示装置に関する分野に利用できる。
【図面の簡単な説明】
【００８１】
【図１】従来の技術による発光表示装置を示す構造図である。
【図２】本発明による発光表示装置の第１実施形態を示す構造図である。
【図３】本発明による発光表示装置で採用された輝度制御部の一実施形態を示す構造図である。
【図４ａ】図２の発光表示装置で採用された発光駆動回路から生成される発光制御信号を示す波形図である。
【図４ｂ】図２の発光表示装置で採用された発光駆動回路から生成される発光制御信号を示す波形図である。
【図４ｃ】図２の発光表示装置で採用された発光駆動回路から生成される発光制御信号を示す波形図である。
【図５】図４ａから図４ｃの発光信号を生成する発光駆動回路の一実施形態を示す構造図である。
【図６ａ】本発明による発光表示装置に入力される発光制御信号の発光比を最大３３％まで制限した場合における、数学的に計算された発光率と輝度比との関係を示す図面である。
【図６ｂ】本発明による発光表示装置に入力される発光制御信号の発光比を最大３３％まで制限した場合における、実際に測定された発光率と輝度比の測定値を示す図面である。
【図６ｃ】本発明による発光表示装置に入力される発光制御信号の発光比を最大３３％まで制限した場合における、数学的に計算された発光率と電流比との関係を示す図面である。
【図６ｄ】本発明による発光表示装置に入力される発光制御信号の発光比を最大３３％まで制限した場合における、実際に測定された発光率と電流比との関係を示す図面である。
【図７ａ】本発明による発光表示装置に入力される発光制御信号の発光比を最大５０％まで制限した場合における、数学的に計算された発光率と輝度比との関係を示す図面である。
【図７ｂ】本発明による発光表示装置に入力される発光制御信号の発光比を最大５０％まで制限した場合における、実際に測定された発光率と輝度比の測定値を示す図面である。
【図７ｃ】本発明による発光表示装置に入力される発光制御信号の発光比を最大５０％まで制限した場合における、数学的に計算された発光率と電流比との関係を示す図面である。
【図７ｄ】本発明による発光表示装置に入力される発光制御信号の発光比を最大５０％まで制限した場合における、実際に測定された発光率と電流比との関係を示す図面である。
【符号の説明】
【００８２】
１００    画素部、
１１０    画素、
２００    輝度制御部、
２１０    データ合算部、
２２０    ルックアップテーブル、
２３０    輝度制御駆動部、
３００    データ駆動部、
４００    走査駆動部、
５００    電源供給部。
【図１】
2006285236.tif 000008
【図２】
2006285236.tif 000009
【図３】
2006285236.tif 000010
【図４ａ】
2006285236.tif 000011
【図４ｂ】
2006285236.tif 000012
【図４ｃ】
2006285236.tif 000013
【図５】
2006285236.tif 000014
【図６ａ】
2006285236.tif 000015
【図６ｂ】
2006285236.tif 000016
【図６ｃ】
2006285236.tif 000017
【図６ｄ】
2006285236.tif 000018
【図７ａ】
2006285236.tif 000019
【図７ｂ】
2006285236.tif 000020
【図７ｃ】
2006285236.tif 000021
【図７ｄ】
2006285236.tif 000022